(57)【要約】【課題】短縮ダイヤルに登録する発呼先アドレス等の文字列入力において、残り入力可能文字数を表示する通信端末器を提供することを目的とする。【解決手段】発呼先アドレスの文字列を入力する入力部と、複数の短縮ダイヤルキーに対応させて、上記発呼先アドレスを登録する記憶部とを備え、上記入力部に入力される文字数をカウントするカウント手段と、発呼先アドレスの入力可能な文字数と上記カウント手段でカウントされた文字数から残り入力可能な文字数を判断する残文字数判断手段と、残り入力可能な文字数を報知する文字数報知手段とを備えている。【選択図】図２
2005006074.tif 000002
【特許請求の範囲】
【請求項１】
発呼先アドレスの文字列を入力する入力部と、複数の短縮ダイヤルキーに対応させて、上記発呼先アドレスを登録する記憶部とを備え、上記入力部に入力される文字列の数をカウントするカウント手段と、発呼先アドレスの入力可能な文字数と上記カウント手段でカウントされた文字数から残り入力可能な文字数を判断する残文字数判断手段と、残り入力可能な文字数を報知する文字数報知手段とを備えたことを特徴とする通信端末器。
【請求項２】
上記文字数報知手段は、残り入力可能な文字数のみ、カラー表示させたことを特徴とする請求項１に記載の通信端末器。
【請求項３】
上記文字数報知手段は、入力可能な文字数以上の上記文字列が入力されるとアラーム、音声出力若しくは、文字メッセージで残り入力可能な文字数を報知することを特徴とする請求項１に記載の通信端末器。
【発明の詳細な説明】
【０００１】
【発明の属する技術分野】
本発明は、文字列入力機能を備えた通信端末器に関するものである。
【０００２】
【従来の技術】
一般に、携帯端末器の分野においては、文字メッセージの入力の際に入力した文字数を表示させ、字数制限のある文字メッセージを送信する際に入力した文字数を数えることなく容易に入力文字数を認識することができるというものがある。例えば、特許文献１は、そのような技術を開示し、提案している。
【０００３】
【特許文献１】
特開平１１−３９１２６号公報
【発明が解決しようとする課題】
しかしながら、上記従来の携帯端末器では、入力された文字数を表示しているにすぎず、ユーザが入力可能文字数を認識していない場合は、あと何文字入力可能なのかわからないというものであった。また、このような入力文字数を表示するという技術を宛先入力の際に適用しようというものは見当たらない。
【０００４】
本発明は、このような事情に鑑みて提案されたもので、短縮ダイヤル等に登録する発呼先アドレス等の文字列入力において、残り入力可能文字数を表示する通信端末器を提供することを目的とする。
【０００５】
【課題を解決するための手段】
上記目的を達成するために、請求項１に記載の通信端末器は、発呼先アドレスの文字列を入力する入力部と、複数の短縮ダイヤルキーに対応させて、上記発呼先アドレスを登録する記憶部とを備え、上記入力部に入力される文字列の数をカウントするカウント手段と、発呼先アドレスの入力可能な文字数と上記カウント手段でカウントされた文字数から残り入力可能な文字数を判断する残文字数判断手段と、残り入力可能な文字数を報知する文字数報知手段とを備える。
【０００６】
ここで、発呼先アドレスは、電話番号、メールアドレス、相手先名等を含み、短縮ダイヤルには、いわゆるワンタッチダイヤルも含む。これによれば、発呼先アドレスの登録する際に、残り入力可能な文字数が表示及び報知されるため、字数制限を容易に把握することができ、入力作業をスムーズに進めることができる。
【０００７】
請求項２に記載の通信端末器は、文字数報知手段は、残り入力可能な文字数のみ、カラー表示させる構成としている。
【０００８】
これによれば、残り入力可能な文字数が他の文字と識別しやすいため、より明確に認識することができる。
【０００９】
請求項３に記載の通信端末器は、文字数報知手段は、入力可能な文字数以上の上記文字列が入力されるとアラーム、音声出力若しくは、文字メッセージで残り入力可能な文字数を報知する構成としている。
【００１０】
これによれば、発呼先アドレス入力作業中に残り入力可能文字数を聴覚で確認することができ、入力作業をスムーズに進めることができる。
【００１１】
【発明の実施の形態】
以下に、本発明の実施の形態について添付図面とともに説明する。
【００１２】
図１は本発明の通信端末器の構成の一例を示したブロック図である。なお、ここには、ファクシミリ装置Ｆの構成を示したが、本発明は電話機、ファクシミリ及びコピー機能を備えた複合機にも適用可能であり、また宛先入力機能を有する通信端末器であればよい。
【００１３】
図において、本発明の通信端末器は少なくとも以下の各部を備えている。１はＣＰＵ等で構成され、以下の各部を制御する主制御部、２は電話回線Ｌにダイヤル信号を送出し、電話回線Ｌに対する接続制御を行うＮＣＵ、３はファクシミリ通信や電子メール通信を行うために信号の変調と復調を行うモデム、４は画像データを記憶する画像メモリ、５は可変情報や印字出力情報を記憶するＲＡＭ、６は制御プログラムを記憶しているＲＯＭ、７は液晶画面等で構成された表示部、８は各種スイッチ、表示画面上のタッチスイッチ等で構成された操作部、９はアラーム音や音声メッセージを出力させる音出力部、１０は原稿を読み取る読取部である。
【００１４】
なお、通信手段は上記構成に限定されず、ＮＣＵ２ａやモデム２ｂ等を備えずに、ＤＳＵ（不図示）を介して、ＩＳＤＮ回線（デジタル回線）等に接続される構成であってもよい。
【００１５】
上記ＲＡＭ５内には、複数のワンタッチダイヤル等短縮ダイヤルキーに対応させて、登録された発呼先アドレスを記憶する記憶部５ａを備えている。
【００１６】
本発明では、テンキーや表示画面上のタッチスイッチ等により入力部に入力される文字数をカウントするカウント手段と、発呼先アドレスの入力可能な文字数とカウント手段でカウントされた文字数から残り入力可能な文字数を判断する残文字数判断手段とを備え、更に残り入力可能な文字数を報知する文字数報知手段とを備えている。なお、最大入力可能文字数は、デフォルト機能であってもよいしユーザ側で変更設定できる構成としてもよい。
【００１７】
これによれば、発呼先アドレスの登録する際に、残り入力可能な文字数が表示及び報知されるため、字数制限を容易に把握することができ、入力作業をスムーズに進めることができる。
【００１８】
また、文字数報知手段では、残り入力可能な文字数部分のみをカラー表示にする構成としてもよい。このようにカラー表示させる他、残文字数だけを目立つ構成であればよく、例えば文字のフォントを付近の文字とは違う構成としもよい。
【００１９】
これによれば、残り入力可能な文字数が他の文字と識別しやすいため、より明確に認識することができる。
【００２０】
さらに、文字数報知手段は、残り入力可能な文字数が予め設定された数値になるとアラーム、音声出力、若しくは文字メッセージで残り入力可能な文字数を報知する。
【００２１】
これによれば、発呼先アドレス入力操作中に残り入力可能文字数を聴覚や視認により確認することができ、入力作業をスムーズに進めることができる。
【００２２】
図２は本発明の通信端末器における基本動作の一例を示すフローチャート（ステップ１０１〜１１０）である。
【００２３】
宛先入力モードおいて、一定時間内に入力キーを操作して、発呼先アドレスが入力されると、入力文字数、残文字数が表示され、入力キーが操作される毎に同様な動作が繰り返され、入力文字数がオーバーすることなく宛先入力が終了すれば、入力した宛先が登録される（ステップ１０１から１０６）。
【００２４】
ところが、入力キーを操作して文字列を入力している途中で入力文字数がオーバーしている場合は（ステップ１０４）、アラーム音が鳴動し（ステップ１０９）、訂正指示メッセージが表示される（ステップ１１０）。
【００２５】
また、宛先入力モードにおいて、一定時間経過しても何も入力されず放置され、タイムアップした場合は（ステップ１０７）初期画面に戻る（ステップ１０８）。  さらに、入力文字数がオーバーし、アラーム音（ステップ１０９）及び訂正指示メッセージを表示させたまま（ステップ１１０）、放置され、タイムアップした場合も（ステップ１０７）同様に初期画面に戻り（ステップ１０８）、宛先が登録されない状態で終了する。入力文字数をオーバーすることなく宛先入力が終了すれば（ステップ１０５）、入力した宛先が登録される（ステップ１０６）。
【００２６】
図２のフローチャートでは、タイムアップすると（ステップ１０７）初期画面に戻る（ステップ１０８）構成としているが、これはこの構成に限られず、ここで入力を促すアラーム音を鳴動する構成としてもよい。
【００２７】
また図例では、入力文字数がオーバーした場合には（ステップ１０４）、アラームを鳴動させ（ステップ１０９）、その後あるいは同時に訂正指示メッセージを表示させることにより（ステップ１１０）、入力した文字数を訂正することを誘導しており、この誘導に沿って、字数が削除され（ステップ１０１）、宛先入力は終了すると（ステップ１０５）、宛先が登録される（ステップ１０６）。
【００２８】
上述のアラーム音及び訂正指示メッセージを表示させるタイミングや報知手段は図２に示した構成に限られず、例えば残り入力文字数が３文字となった時点で、アラーム音（３回鳴動等）を鳴動させたり、音声ガイドを出力させたり（「あと三文字までしか入力できません」等）、表示部７に文字ガイドメッセージ（「あと三文字までしか入力できません」等）を表示させる構成としてもよい。これはデフォルト機能であってもよいしユーザ側で設定できる構成としてもよい。
【００２９】
図３には、宛先入力操作中の表示画面の一例を示す。ここでは、最大入力可能文字数を１５文字に設定されている例が示されており、相手先名として４文字が入力され、残り１１文字が入力可能であることが表示されている。なお、宛先入力操作中の表示画面の態様はこれに限らず、発呼先アドレスを入力する際に残り入力可能文字数がわかりやすい態様であればよい。
【００３０】
これによれば、発呼先アドレス入力操作中に残り入力可能文字数を容易に確認することができ、入力作業をスムーズに進めることができる。
【発明の効果】
請求項１の発明によれば、発呼先アドレスの登録する際に、残り入力可能な文字数が報知されるため、字数制限を容易に把握することができ、入力作業をスムーズに進めることができる。
【００３１】
請求項２の発明によれば、残り入力可能な文字数が他の文字と識別しやすいため、より明確に認識することができる。
【００３２】
請求項３の発明によれば、発呼先アドレス入力作業中に残り入力可能文字数を容易に確認することができ、入力作業をスムーズに進めることができる。
【図面の簡単な説明】
【図１】本発明の通信端末器の構成の一例を示したブロック図である。
【図２】本発明の通信端末器の動作の一例を示すフローチャートである。
【図３】宛先入力操作中の表示画面の一例を示す図である。
【符号の説明】
Ｆ    ファクシミリ装置
１    主制御部
２    ＮＣＵ
３    モデム
４    画像メモリ
５    ＲＡＭ
５ａ  記憶部
６    ＲＯＭ
７    表示部
８    操作部
８ａ  入力キー
９    音出力部
【図１】
2005006074.tif 000003
【図２】
2005006074.tif 000004
【図３】
2005006074.tif 000005